(57)【要約】      （修正有）【課題】爪がディスクの装着方向と反対方向に加える力を減らし、爪がディスクの内周面を水平方向に弾性支持するようにして、爪に応力集中される現象を減らすことができるディスクチャッキング装置を提供する。【解決手段】ディスクチャッキング装置１００は、ディスクの内周面が固定されるセンタリングケース１２０及びセンタリングケースに形成され、ディスクの装着時に水平方向に回転してセンタリングケースの内側に流入されて、ディスクの内周面を弾性的に支持する接触部２４０を有する爪２００を含む。【選択図】図２
2011233217.tif 000002
【特許請求の範囲】
【請求項１】
ディスクの内周面が固定されるセンタリングケース；及び
前記センタリングケースに形成され、前記ディスクの装着時に水平方向に回転して前記センタリングケースの内側に移動する、前記ディスクの内周面を弾性的に支持する接触部を有する爪；
を含むディスクチャッキング装置。
【請求項２】
前記爪は、
前記センタリングケースの爪形成部から突出されて形成され、前記センタリングケースの内側に平行に形成される境界ライン孔の間に配置される爪ボディー；及び
前記境界ライン孔のうち一つから延長されて、前記爪ボディーの一部を前記境界ライン孔と異なる方向に切開する遊び孔によって形成される回転ラック；を含む請求項１に記載のディスクチャッキング装置。
【請求項３】
前記遊び孔は前記接触部の曲率と反対方向の曲率を有することを特徴とする請求項２に記載のディスクチャッキング装置。
【請求項４】
前記爪は前記センタリングケースの平板部と同一のレベルをなすことを特徴とする請求項２または３に記載のディスクチャッキング装置。
【請求項５】
前記爪は前記センタリングケースの平板部と異なるレベルをなすことを特徴とする請求項２または３に記載のディスクチャッキング装置。
【請求項６】
前記爪形成部は前記センタリングケースの内側に多角形の形状をなすことを特徴とする請求項２から５の何れか１項に記載のディスクチャッキング装置。
【請求項７】
前記爪は、
前記センタリングケースの爪形成部から突出されて形成され、前記センタリングケースの内側に平行に形成される境界ライン孔の間に配置される爪ボディー；及び
前記境界ライン孔のうち一つから延長されて、前記爪形成部と前記爪ボディーが分離されるように切開する遊び孔によって形成される回転ラック；を含む請求項１に記載のディスクチャッキング装置。
【請求項８】
前記遊び孔は前記接触部の曲率と反対方向の曲率を有することを特徴とする請求項７に記載のディスクチャッキング装置。
【請求項９】
前記爪形成部の前記センタリングケースの内面は、前記遊び孔の形状と同一の形状を有することを特徴とする請求項７または８に記載のディスクチャッキング装置。
【請求項１０】
前記接触部は、前記センタリングケースの外周部の境界から外径方向の外側に一部が突出されて、前記ディスクの内周面が接触する先端接触部を有することを特徴とする請求項７から９の何れか１項に記載のディスクチャッキング装置。
【請求項１１】
前記爪ボディーは、前記センタリングケースの平板部と異なる平面上に形成され、
前記接触部は前記ディスクの装着時に前記ディスクの内周面と接触する外周部、前記ディスクの装着時に最初に前記ディスクの内周面が接する先端部及び前記先端部と外周部を連結する連結部を含んで、
前記先端部の曲率が前記連結部の曲率より大きいことを特徴とする請求項７から１０の何れか１項に記載のディスクチャッキング装置。
【請求項１２】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行するように内径方向の内側に切開する分離孔によって形成されるボディー切片；及び
前記分離孔から延長されて、前記ボディー切片の一部を前記分離孔と異なる方向に切開する遊び孔によって形成される回転ラック；を含む請求項１に記載のディスクチャッキング装置。
【請求項１３】
前記遊び孔は前記分離孔から前記境界ライン孔の方向に形成されることを特徴とする請求項１２に記載のディスクチャッキング装置。
【請求項１４】
前記遊び孔は前記接触部の曲率と反対方向の曲率を有することを特徴とする請求項１２または１３に記載のディスクチャッキング装置。
【請求項１５】
前記爪形成部は前記センタリングケースの内側に多角形の形状をなすことを特徴とする請求項１２から１４の何れか１項に記載のディスクチャッキング装置。
【請求項１６】
前記接触部は、前記センタリングケースの外周面の境界から外径方向の外側に一部が突出されて、前記ディスクの内周面が接触する先端接触部を有することを特徴とする請求項１２から１５の何れか１項に記載のディスクチャッキング装置。
【請求項１７】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行するように内径方向の内側に切開する分離孔によって形成されるボディー切片；及び
前記境界ライン孔のうち少なくとも一つから延長されて、前記ボディー切片の分離孔の方向に切開する遊び孔によって形成される回転ラック；を含む請求項１に記載のディスクチャッキング装置。
【請求項１８】
前記爪形成部は前記センタリングケース内側に多角形の形状をなすことを特徴とする請求項１７に記載のディスクチャッキング装置。
【請求項１９】
前記遊び孔は前記爪形成部の内面に沿って形成されることを特徴とする請求項１７または１８に記載のディスクチャッキング装置。
【請求項２０】
前記接触部は、前記センタリングケースの外周面の境界から外径方向の外側に一部が突出されて、前記ディスクの内周面が接触する先端接触部を有することを特徴とする請求項１７から１９の何れか１項に記載のディスクチャッキング装置。
【請求項２１】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行するように内径方向の内側に切開する分離孔によって形成されるボディー切片；及び
前記境界ライン孔のうち少なくとも一つ及び前記分離孔から延長されて、前記分離孔及び他の境界ライン孔の方向に切開する遊び孔によって形成される回転ラック；を含む請求項１に記載のディスクチャッキング装置。
【請求項２２】
前記爪形成部は前記センタリングケース内側に多角形の形状をなすことを特徴とする請求項２１に記載のディスクチャッキング装置。
【請求項２３】
前記接触部は、前記センタリングケースの外周面の境界から外径方向の外側に一部が突出されて、前記ディスクの内周面が接触する先端接触部を有することを特徴とする請求項２１または２２に記載のディスクチャッキング装置。
【請求項２４】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行に内径方向の内側に切開する分離孔によって形成されるボディー切片；及び
前記分離孔から前記境界ライン孔の少なくとも一つの方向に延長されて、前記爪形成部と前記ボディー切片が分離されるように切開する遊び孔によって形成される回転ラック；を含む請求項１に記載のディスクチャッキング装置。
【請求項２５】
前記遊び孔は前記接触部の曲率と反対方向の曲率を有することを特徴とする請求項２４に記載のディスクチャッキング装置。
【請求項２６】
前記爪形成部の前記センタリングケースの内面は、前記遊び孔の形状と同一の形状を有することを特徴とする請求項２４または２５に記載のディスクチャッキング装置。
【請求項２７】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行するように内径方向の内側に切開する分離孔によって形成されるボディー切片；及び
前記境界ライン孔のうち少なくとも一つから延長されて、前記ボディー切片の分離孔の方向に切開する遊び孔によって形成される回転ラック；を含む請求項１に記載のディスクチャッキング装置。
【請求項２８】
前記爪形成部の前記センタリングケースの内面は、前記遊び孔の形状と同一の形状を有することを特徴とする請求項２７に記載のディスクチャッキング装置。
【請求項２９】
前記遊び孔は前記爪形成部の内面に沿って形成されることを特徴とする請求項２７または２８に記載のディスクチャッキング装置。
【請求項３０】
前記爪は、
前記センタリングケースの爪形成部から突出されて形成され、前記センタリングケースの内側に平行に形成される境界ライン孔の間に配置される爪ボディー；
前記爪ボディーが前記境界ライン孔と平行するように内径方向の内側に切開する分離孔によって形成されるボディー切片；及び
前記分離孔の内径方向の端部に分離孔の幅より大きい直径を有する円形の遊び孔によって形成される回転ラック；を含む請求項１に記載のディスクチャッキング装置。
【請求項３１】
前記爪は、前記接触部が前記センタリングケースの内側に流入されることができる空間からなる爪形成部を含んで、
前記接触部は、前記センタリングケースの外周部の一端部から前記センタリングケースの外径をなすように延長形成され、前記一端部と対応する前記センタリングケースの外周部の他端部と分離されることを特徴とする請求項１に記載のディスクチャッキング装置。
【請求項３２】
前記爪形成部は前記センタリングケースの内側に多角形の形状をなすことを特徴とする請求項３１に記載のディスクチャッキング装置。
【請求項３３】
前記接触部は、前記センタリングケースの外周部の境界から外径方向の外側に一部が突出されて、前記ディスクの内周面が接触する先端接触部を有することを特徴とする請求項３１または３２に記載のディスクチャッキング装置。
【請求項３４】
前記爪は、前記接触部が前記センタリングケースの内側に流入されることができる空間からなる爪形成部を含んで、
前記接触部は、前記センタリングケースの外周部の両端部から前記センタリングケースの外径をなすように延長形成され、前記接触部の相接する端部は分離されることを特徴とする請求項１に記載のディスクチャッキング装置。
【請求項３５】
前記爪形成部は前記センタリングケースの内側に多角形の形状をなすことを特徴とする請求項３４に記載のディスクチャッキング装置。
【請求項３６】
前記接触部の相接する端部は、前記センタリングケースの外周部の境界から外径方向の外側に一部が突出されて、前記ディスクの内周面が接触する先端接触部を有することを特徴とする請求項３４または３５に記載のディスクチャッキング装置。
【請求項３７】
前記センタリングケースの外周部に形成され、外径方向の外側に一部突出されて備えられるチャックチップを収容するチャックチップ収容部；及び
前記チャックチップ収容部が凹溝に形成されて、境界をなすように前記センタリングケースの底面から軸方向の下側に突出形成される境界壁；をさらに含むことを特徴とする請求項１に記載のディスクチャッキング装置。
【請求項３８】
前記爪は、前記チャックチップ収容部と前記境界壁の間に配置され、前記境界壁の形状を有する爪形成部から突出形成されることを特徴とする請求項３７に記載のディスクチャッキング装置。
【請求項３９】
前記センタリングケースはローターケースの軸方向の上部に配置され、
前記ローターケースのローターハーブの外周面が圧入されるボス孔が形成されるガイドボスを含むことを特徴とする請求項３７または３８に記載のディスクチャッキング装置。
【請求項４０】
前記ガイドボスは、前記チャックチップ収容部の方向に突出され、前記チャックチップと弾性結合するようにする弾性部材が締結される締結突起が形成されるボスフレームを含むことを特徴とする請求項３９に記載のディスクチャッキング装置。
【請求項４１】
請求項１から４０のうち何れか一つによるディスクチャッキング装置；
前記ディスクチャッキング装置が安着されるローター；及び
前記ローターと連動するシャフトを回転支持するステーター；を含むモーター。
【請求項４２】
ディスクが装着される請求項４１に記載のモーター；
前記モーターが搭載されるフレーム；
前記ディスクを光学的に記録または再生する光ピックアップ機構；及び
前記光ピックアップ機構を前記ディスクの直径方向に移送させる移送機構；
を含むディスク駆動装置。
【発明の詳細な説明】
【技術分野】
【０００１】
本発明はディスクのセンタリング及びディスクチャッキング性能を向上させるために、ディスクの爪部材の構造を改善したディスクチャッキング装置、モーター及びこれを搭載したディスク駆動装置に関する。
【背景技術】
【０００２】
一般的に、ディスク駆動装置内に設けられるスピンドルモーター（ｓｐｉｎｄｌｅ  ｍｏｔｏｒ）は、光ピックアップ機構がディスクに記録されたデータを読むことができるようにディスクを回転させる。
【０００３】
前記ディスクは前記スピンドルモーターとともに回転されるディスクチャッキング装置によって固定され、前記ディスクは前記ディスクチャッキング装置に繰り返しロード及びアンロードされる。
【０００４】
前記ディスクの内周面が前記ディスクチャッキング装置のセンタリングケースの外周面に圧入して装着され、前記ディスクの中心がセンタリングケースの中心と一致しなければディスクの記録や再生性能の信頼性が維持されない。
【０００５】
前記ディスクチャッキング装置のセンタリングケースには、前記ディスクが前記センタリングケースの外周面に挿入された後、前記ディスクの離脱を防止するようにするチャックチップが備えられ、前記センタリングケースの外周面には前記ディスクの内周面を支持する爪が形成される。
【０００６】
前記爪は前記センタリングケースから前記ディスクが着脱される方向（軸方向の上下）に移動されて、前記ディスクが着脱される方向への力のみが前記ディスクの内周面に加えられる。
【０００７】
これによって、前記ディスクが繰り返して着脱されると、前記爪への応力集中が前記ディスクが着脱される方向にのみ表れるようになり、爪の変形や破損によって寿命が短縮される問題点がある。
【０００８】
また、前記ディスクが着脱される方向への力のみが前記ディスクの内周面に加えられるため、繰り返される着脱によって前記爪が変形された場合、前記ディスクが前記センタリングケースで滑ったりずり落ちる現象が発生される問題点がある。
【０００９】
また、前記爪が変形される場合、ディスクの中心とセンタリングケースの中心が一致しないため、ディスクの記録や再生性能の信頼性に問題点が発生する。
【発明の概要】
【発明が解決しようとする課題】
【００１０】
本発明の目的は、ディスクのセンタリング及びディスクチャッキング性能を向上させるために、センタリングケースの内径方向の内側に水平方向に回転移動される爪を含むディスクチャッキング装置を提供することである。
【００１１】
本発明のまた他の目的は、前記ディスクチャッキング装置を含むモーターを提供することである。
【００１２】
本発明のまた他の目的は、前記モーターを搭載するディスク駆動装置を提供することである。
【課題を解決するための手段】
【００１３】
本発明の一実施例によるディスクチャッキング装置は、ディスクの内周面が固定されるセンタリングケース；及び前記センタリングケースに形成され、前記ディスクの装着時に水平方向に回転して前記センタリングケースの内側に流入されて、前記ディスクの内周面を弾性的に支持する接触部を有する爪；を含むことができる。
【００１４】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；及び前記境界ライン孔のうち一つから延長されて、前記爪ボディーの一部を前記境界ライン孔と異なる方向に切開する遊び孔によって形成される回転ラック；を含むことができる。
【００１５】
また、本発明の一実施例によるディスクチャッキング装置の前記遊び孔は前記接触部の曲率と反対方向の曲率を有することができる。
【００１６】
また、本発明の一実施例によるディスクチャッキング装置の前記爪は前記センタリングケースの平板部と同一のレベルをなすことができる。
【００１７】
また、本発明の一実施例によるディスクチャッキング装置の前記爪は前記センタリングケースの平板部と異なるレベルをなすことができる。
【００１８】
また、本発明の一実施例によるディスクチャッキング装置の前記爪形成部は前記センタリングケースの内側に多角形の形状をなすことができる。
【００１９】
また、本発明の一実施例によるディスクチャッキング装置の前記爪は前記センタリングケースの爪形成部から突出されて形成され、前記センタリングケースの内側に平行に形成される境界ライン孔の間に配置される爪ボディー；及び前記境界ライン孔のうち一つから延長されて、前記爪形成部と前記爪ボディーが分離されるように切開する遊び孔によって形成される回転ラック；を含むことができる。
【００２０】
また、本発明の一実施例によるディスクチャッキング装置の前記遊び孔は前記接触部の曲率と反対方向の曲率を有することができる。
【００２１】
また、本発明の一実施例によるディスクチャッキング装置の前記爪形成部の前記センタリングケースの内面は、前記遊び孔の形状と同一の形状を有することができる。
【００２２】
また、本発明の一実施例によるディスクチャッキング装置の前記接触部は、前記センタリングケースの外周部の境界から外径方向の外側に一部が突出されて、前記ディスクの内周面が接触する先端接触部を有することができる。
【００２３】
また、本発明の一実施例によるディスクチャッキング装置の前記爪ボディーは、前記センタリングケースの平板部と異なる平面上に形成され、前記接触部は前記ディスクの装着時に前記ディスクの内周面と接触する外周部、前記ディスクの装着時に最初に前記ディスクの内周面が接する先端部及び前記先端部と外周部を連結する連結部を含んで、前記先端部の曲率が前記連結部の曲率より大きいことができる。
【００２４】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記分離孔から延長されて前記ボディー切片の一部を前記分離孔と異なる方向に切開する遊び孔によって形成される回転ラック；を含むことができる。
【００２５】
また、本発明の一実施例によるディスクチャッキング装置の前記遊び孔は、前記分離孔から前記境界ライン孔の方向に形成されることができる。
【００２６】
また、本発明の一実施例によるディスクチャッキング装置の前記遊び孔は、前記接触部の曲率と反対方向の曲率を有することができる。
【００２７】
また、本発明の一実施例によるディスクチャッキング装置の前記爪形成部は、前記センタリングケースの内側に多角形の形状をなすことができる。
【００２８】
また、本発明の一実施例によるディスクチャッキング装置の前記接触部は、前記センタリングケースの外周面の境界から外径方向の外側に一部が突出されて、前記ディスクの内周面が接触する先端接触部を有することができる。
【００２９】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記境界ライン孔のうち少なくとも一つから延長されて前記ボディー切片の分離孔の方向に切開する遊び孔によって形成される回転ラック；を含むことができる。
【００３０】
また、本発明の一実施例によるディスクチャッキング装置の前記爪形成部は、前記センタリングケース内側に多角形の形状をなすことができる。
【００３１】
また、本発明の一実施例によるディスクチャッキング装置の前記遊び孔は、前記爪形成部の内面に沿って形成されることができる。
【００３２】
また、本発明の一実施例によるディスクチャッキング装置の前記接触部は、前記センタリングケースの外周面の境界から外径方向の外側に一部が突出されて、前記ディスクの内周面が接触する先端接触部を有することができる。
【００３３】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記境界ライン孔のうち少なくとも一つ及び前記分離孔から延長されて前記分離孔及び他の境界ライン孔の方向に切開する遊び孔によって形成される回転ラック；を含むことができる。
【００３４】
また、本発明の一実施例によるディスクチャッキング装置の前記爪形成部は、前記センタリングケース内側に多角形の形状をなすことができる。
【００３５】
また、本発明の一実施例によるディスクチャッキング装置の前記接触部は、前記センタリングケースの外周面の境界から外径方向の外側に一部が突出されて、前記ディスクの内周面が接触する先端接触部を有することができる。
【００３６】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記分離孔から前記境界ライン孔の少なくとも一つの方向に延長されて、前記爪形成部と前記ボディー切片が分離されるように切開する遊び孔によって形成される回転ラック；を含むことができる。
【００３７】
また、本発明の一実施例によるディスクチャッキング装置の前記遊び孔は、前記接触部の曲率と反対方向の曲率を有することができる。
【００３８】
また、本発明の一実施例によるディスクチャッキング装置の前記爪形成部の前記センタリングケースの内面は、前記遊び孔の形状と同一の形状を有することができる。
【００３９】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記境界ライン孔のうち少なくとも一つから延長されて、前記ボディー切片の分離孔の方向に切開する遊び孔によって形成される回転ラック；を含むことができる。
【００４０】
また、本発明の一実施例によるディスクチャッキング装置の前記爪形成部の前記センタリングケースの内面は、前記遊び孔の形状と同一の形状を有することができる。
【００４１】
また、本発明の一実施例によるディスクチャッキング装置の前記遊び孔は、前記爪形成部の内面に沿って形成されることができる。
【００４２】
また、本発明の一実施例によるディスクチャッキング装置の前記爪は、前記センタリングケースの爪形成部から突出されて形成され、前記センタリングケースの内側に平行に形成される境界ライン孔の間に配置される爪ボディー；前記爪ボディーが前記境界ライン孔と平行に内径方向の内側に切開する分離孔によって形成されるボディー切片；及び前記分離孔の内径方向の端部に分離孔の幅より大きい直径を有する円形の遊び孔によって形成される回転ラック；を含むことができる。
【００４３】
また、本発明の一実施例によるディスクチャッキング装置の前記爪は、前記接触部が前記センタリングケースの内側に流入されることができる空間からなる爪形成部を含んで、前記接触部は、前記センタリングケースの外周部の一端部から前記センタリングケースの外径をなすように延長形成され、前記一端部と対応する前記センタリングケースの外周部の他端部と分離されることができる。
【００４４】
また、本発明の一実施例によるディスクチャッキング装置の前記爪形成部は、前記センタリングケースの内側に多角形の形状をなすことができる。
【００４５】
また、本発明の一実施例によるディスクチャッキング装置の前記接触部は、前記センタリングケースの外周部の境界から外径方向の外側に一部が突出されて、前記ディスクの内周面が接触する先端接触部を有することができる。
【００４６】
また、本発明の一実施例によるディスクチャッキング装置の前記爪は、前記接触部が前記センタリングケースの内側に流入されることができる空間からなる爪形成部を含んで、前記接触部は、前記センタリングケースの外周部の両端部から前記センタリングケースの外径をなすように延長形成され、前記接触部の相接する端部は分離されることができる。
【００４７】
また、本発明の一実施例によるディスクチャッキング装置の前記爪形成部は、前記センタリングケースの内側に多角形の形状をなすことができる。
【００４８】
また、本発明の一実施例によるディスクチャッキング装置の前記接触部の相接する端部は、前記センタリングケースの外周部の境界から外径方向の外側に一部が突出されて前記ディスクの内周面が接触する先端接触部を有することができる。
【００４９】
また、本発明の一実施例によるディスクチャッキング装置は、前記センタリングケースの外周部に形成され、外径方向の外側に一部突出されて備えられるチャックチップを収容するチャックチップ収容部；及び前記チャックチップ収容部が凹溝に形成されて境界をなすように前記センタリングケースの底面から軸方向の下側に突出形成される境界壁；をさらに含むことができる。
【００５０】
また、本発明の一実施例によるディスクチャッキング装置の前記爪は、前記チャックチップ収容部と前記境界壁の間に配置され、前記境界壁の形状を有する爪形成部から突出形成されることができる。
【００５１】
また、本発明の一実施例によるディスクチャッキング装置の前記センタリングケースは、ローターケースの軸方向の上部に配置され、前記ローターケースのローターハーブの外周面が圧入されるボス孔が形成されるガイドボスを含むことができる。
【００５２】
また、本発明の一実施例によるディスクチャッキング装置の前記ガイドボスは、前記チャックチップ収容部の方向に突出され、前記チャックチップと弾性結合するようにする弾性部材が締結される締結突起が形成されるボスフレームを含むことができる。
【００５３】
他の側面で、本発明の一実施例によるモーターは、ディスクチャッキング装置；前記ディスクチャッキング装置が安着されるローター；及び前記ローターと連動するシャフトを回転支持するステーター；を含むことができる。
【００５４】
また他の側面で、本発明の一実施例によるディスク駆動装置は、ディスクが装着されるモーター；前記モーターが搭載されるフレーム；前記ディスクを光学的に記録または再生する光ピックアップ機構；及び前記光ピックアップ機構を前記ディスクの直径方向に移送させる移送機構；を含むことができる。
【発明の効果】
【００５５】
本発明によるディスクチャッキング装置、モーター及びこれを搭載するディスク駆動装置によって、爪がディスクの装着方向と反対方向に加える力を減らし、前記爪がディスクの内周面を水平方向に弾性支持するようにして、爪に応力集中される現象を減らすことができる。
【００５６】
また、前記爪に集中される応力集中が分散されるため、爪の変形や破損を減らすことができる。
【００５７】
また、爪がディスクの内周面に水平方向に力を加えることができるため、前記ディスクチャッキング装置に装着されるディスクがセンタリングケースから滑ったり抜ける現象を減らすことができる。
【００５８】
また、前記爪のディスク内周面に加える力が大きいため、前記ディスクの中心とセンタリングケースの中心が一致して、ディスクの記録や再生性能の信頼性が向上される効果がある。
【図面の簡単な説明】
【００５９】
【図１】本発明の一実施例によるモーターを図示した概略断面図である。
【図２】本発明のディスクチャッキング装置の第１実施例の平面図である。
【図３】本発明のディスクチャッキング装置の第１実施例の底面図である。
【図４】本発明のディスクチャッキング装置の第１実施例にディスクが装着される様子と、ディスク装着後にディスクチャッキング装置がディスクに加える力の方向を図示した概略断面図である。
【図５】図４の第１変形実施例の概略断面図である。
【図６】図４の第２変形実施例の概略断面図である。
【図７】図２のディスクチャッキング装置にディスクが装着された場合、ディスクチャッキング装置がディスクに加える力の方向を図示した平面図である。
【図８】本発明のディスクチャッキング装置の第２実施例の平面図である。
【図９】図８の変形例の平面図である。
【図１０】図８の爪の断面図である。
【図１１】本発明のディスクチャッキング装置の第３実施例の平面図である。
【図１２】図１１のディスクチャッキング装置にディスクが装着された場合、ディスクチャッキング装置がディスクに加える力の方向を図示した平面図である。
【図１３】図１１の変形例の平面図である。
【図１４】本発明のディスクチャッキング装置の第４実施例の平面図である。
【図１５】図１４の変形例の平面図である。
【図１６】本発明のディスクチャッキング装置の第５実施例の平面図である。
【図１７】図１６の変形例の平面図である。
【図１８】本発明のディスクチャッキング装置の第６実施例の平面図である。
【図１９】本発明のディスクチャッキング装置の第７実施例の平面図である。
【図２０】本発明のディスクチャッキング装置の第８実施例の平面図である。
【図２１】図２１は本発明のディスクチャッキング装置の第９実施例の平面図である。
【図２２】図２１の変形例の平面図である。
【図２３】本発明のディスクチャッキング装置の第１０実施例の平面図である。
【図２４】図２３の変形例の平面図である。
【図２５】本発明の一実施例によるディスク駆動装置の概略断面図である。
【発明を実施するための形態】
【００６０】
以下、図面を参照して本発明の具体的な実施例を詳細に説明する。但し、本発明の思想は提示される実施例に制限されず、本発明の思想を理解する当業者は同一の思想の範囲内にて他の構成要素を追加、変更、削除等によって、退歩的な他の発明や本発明の思想の範囲内に含まれる他の実施例を容易に提案することができるが、これもまた本発明の思想の範囲内に含まれるとするべきであろう。
【００６１】
また、各実施例の図面に示される同一または類似の思想の範囲内の機能が同一の構成要素は同一または類似の参照符号を用いて説明する。
【００６２】
［モーター］
【００６３】
図１は本発明の一実施例によるモーターを図示した概略断面図である。
【００６４】
図１を参照すると、本発明の一実施例によるモーター１０は、ディスクチャッキング装置１００、ローター２０及びステーター４０を含むことができる。
【００６５】
ここで、モーター１０をディスクＤを回転させる光ディスクドライブに適用されるスピンドルモーターの一実施例として説明する。大きく分けて、ローター２０とステーター４０からなる。
【００６６】
一方、方向に対する用語を定義すると、軸方向は図１を参照して、シャフト５０を基準に上下方向を意味し、外径または内径方向はシャフト５０を基準にローター２０の外側端方向、またはローター２０の外側端を基準にシャフト５０の中心方向を意味する。
【００６７】
前記ローター２０は、ステーター４０のコイル４４と対応する輪状のマグネット２５を外周部に備えるカップ状のローターケース２２を備える。前記マグネット２５は、円周方向にＮ極、Ｓ極が相互に着磁され、一定の強さの磁気力を発生する永久磁石である。
【００６８】
前記ローターケース２２は、シャフト５０が圧入締結されるローターハブ２６と輪状のマグネット２５を内周面に配置するマグネット結合部２８からなる。前記ローターハブ２６は、前記シャフト５０との抜去力の維持のために軸方向の上側に折曲されて形成され、前記ローターハブ２６の外周面にはディスクＤを載置することができるディスクチャッキング装置１００が搭載される。
【００６９】
前記ステーター４０は回転する部材を除いた全ての固定部材を意味するものであり、印刷回路基板６２が設けられるベースプレート６０、スリーブ５２を圧入して支持するスリーブホルダー７０及び前記スリーブホルダー７０に固定されるコア４２及び前記コアに巻かれる巻線コイル４４を含む。
【００７０】
前記マグネット結合部２８の内周面に備えられる前記マグネット２５は、前記巻線コイル４４と対向するように配置され、前記マグネット２５と巻線コイル４４の電磁気的相互作用によって前記ローター２０が回転するようになる。即ち、ローターケース２２が回転するとローターケース２２と連動するシャフト５０が回転する。
【００７１】
前記ローターケース２２の回転によって、前記ディスクＤが装着されるセンタリングケース１２０を含むディスクチャッキング装置１００もともに回転するようになる。この際、前記センタリングケース１２０の爪は前記ディスクＤを水平方向に弾性的に支持するようになる。
【００７２】
以下では、前記ディスクチャッキング装置１００の多様な実施例を詳細に説明する。
【００７３】
［ディスクチャッキング装置］
【００７４】
図２は本発明のディスクチャッキング装置の第１実施例の平面図であり、図３は本発明のディスクチャッキング装置の第１実施例の底面図であり、図４は本発明のディスクチャッキング装置の第１実施例にディスクが装着される様子と、ディスク装着後にディスクチャッキング装置がディスクに加える力の方向を図示した概略断面図であり、図５は図４の第１変形実施例の概略断面図であり、図６は図４の第２変形実施例の概略断面図であり、図７は図２のディスクチャッキング装置にディスクが装着された場合、ディスクチャッキング装置がディスクに加える力の方向を図示した平面図である。
【００７５】
図２から図７を参照すると、本発明のディスクチャッキング装置１００は、センタリングケース１２０及び爪２００を含むことができる。
【００７６】
前記センタリングケース１２０は、円形の平板部１２２と前記平板部１２２の外周端部から軸方向の下側に延長される外周部１２４からなる。
【００７７】
具体的に、前記センタリングケース１２０は、ローターケース２２の軸方向の上部に配置され、前記ローターケース２２のローターハブ２６の外周面が圧入されるボス孔１４２が形成されるガイドボス１４０を含むことができる。
【００７８】
また、前記センタリングケース１２０の外周部１２４にはディスクＤの内周面が固定されることができる。前記センタリングケース１２０には前記ディスクＤが装着された後、離脱されることを防止するために、前記ディスクＤを押すチャックチップ１６０を収容するチャックチップ収容部１２６が形成される。
【００７９】
前記ガイドボス１４０は、前記チャックチップ収容部１２６の方向に突出され、前記チャックチップ１６０と弾性結合するようにする弾性部材１８０が締結される締結突起１４６が形成されるボスフレーム１４４を含むことができる。
【００８０】
前記チャックチップ１６０は、前記センタリングケース１２０の外周部１２４に外径方向の外側に一部突出されるように、前記チャックチップ収容部１２６に収容されることができる。
【００８１】
前記センタリングケース１２０は、前記センタリングケース１２０の底面から軸方向の下側に突出され、前記チャックチップ収容部１２６が凹溝で形成されて境界をなすようにする境界壁１７０をさらに含むことができる。
【００８２】
前記チャックチップ１６０は、センタリングケース１２０の円周方向に一定間隔で多数個が形成されることができる。前記チャックチップ１６０に対向される前記センタリングケース１２０の外周部には爪２００が形成される。前記爪２００は前記ディスクＤの装着時に前記チャックチップ１６０を補助して、前記ディスクＤの離脱を防止するようになる。
【００８３】
前記爪２００は、前記ディスクＤの装着時に水平方向に回転して、前記センタリングケース１２０の内側に流入され、前記ディスクＤの内周面を弾性的に支持する接触部２４０を有することができる。具体的には、爪２００のセンタリングケース１２０の外周よりも突出した部分が、センタリングケース１２０の外周よりも内側に位置するように、後述する回転ラック２７０が弾性変形する。この変形の結果、爪２００は、センタリングケース１２０の中心点に近いセンタリングケース１２０の内側の領域に移動する。
【００８４】
前記爪２００は、前記チャックチップ収容部１２６と前記境界壁１７０の間に配置され、前記境界壁１７０の形状を有する爪形成部２２８から突出されて形成されることができる。
【００８５】
この際、前記爪形成部２２８は前記境界壁１７０の形状のように多角形の形状からなることができて、折れ曲がって形成されることもできる。
【００８６】
本実施例の爪２００は、前記センタリングケース１２０の爪形成部２２８から突出されて形成され、前記センタリングケース１２０の内側に平行に形成される境界ライン孔２５０の間に配置される爪ボディー２２０を含むことができる。また、前記爪２００は、前記境界ライン孔２５０のうち一つから延長されて、前記爪ボディー２２０の一部を前記境界ライン孔２５０と異なる方向に切開する遊び孔２６０によって形成される回転ラック２７０を含むことができる。例えば、遊び孔２６０の切開方向と境界ライン孔２５０の切開方向との角度は、８０度以上１００度以下である。当該角度は、境界ライン孔２５０の切開方向と、境界ライン孔２５０が接するセンタリングケース１２０の外周との間の角度と等しい角度であってもよい。
【００８７】
前記回転ラック２７０は、前記ディスクＤが装着されると弾性変形し、前記接触部２４０を含む爪２００の部分は、前記遊び孔２６０の空間へと水平方向に回転する。この際、前記ディスクＤの装着後には爪２００の弾性により、前記接触部２４０は前記回転とは反対方向に前記ディスクＤを加圧するようになる。
【００８８】
前記遊び孔２６０は前記接触部２４０の曲率と反対方向の曲率を有するように前記爪ボディー２２０に形成されることができる。つまり、遊び孔２６０及び接触部２４０は、略同一の曲率半径を有し、かつ、反対方向に凸となる弧状に形成されていてもよい。
【００８９】
一方、前記爪ボディー２２０は前記センタリングケース１２０の爪形成部２２８から外径方向に突出されることができる。
【００９０】
この際、図４及び図５のように、前記爪２００は前記センタリングケース１２０の平板部１２２と同一のレベルをなすことができて、図６のように前記爪２００は前記センタリングケース１２０の平板部１２２と異なるレベルをなすことができる。
【００９１】
前記ディスクＤが前記センタリングケース１２０に装着される時、前記接触部２４０が水平方向に回転することによって、前記センタリングケース１２０の内側空間に流入される。この際、前記接触部２４０の外径方向への反発力が前記ディスクＤの内周面に作用するようになる。
【００９２】
図７を参照すると、爪２００が前記ディスクＤの内周面に作用する力が分かる。
【００９３】
前記爪２００には、前記接触部２４０がディスクＤの接触された方向への反発力である法線力Ｎと、センタリングケース１２０の内側に回転流入された方向の反対方向への回転力である接線力Ｔの合力である爪力Ｆｃが発生する。
【００９４】
前記接線力Ｔは、法線力Ｎのみが作用する場合に比べて爪力Ｆｃをより強くすることで、ディスクＤが前記センタリングケース１２０内でさらに安定的に支持されることができる。
【００９５】
一方、前記チャックチップ１６０は弾性部材１８０の反発力によってスプリング力Ｆｓが形成される。
【００９６】
以下では、爪の他の実施例を詳細に説明し、図２から図７の実施例と差異点のみを詳細に説明する。
【００９７】
図８は本発明のディスクチャッキング装置の第２実施例の平面図であり、図９は図８の変形例の平面図であり、図１０は図８の爪の断面図である。
【００９８】
図８から図１０を参照すると、本実施例の爪３００は、前記センタリングケースの爪形成部３２８から突出されて形成され、前記センタリングケース１２０の内側に平行に形成される境界ライン孔３５０の間に配置される爪ボディー３２０を含むことができる。
【００９９】
また、前記爪３００は、前記境界ライン孔３５０のうち一つから延長され、前記爪形成部３２８と前記爪ボディー３２０が分離されるように切開する遊び孔３６０によって形成される回転ラック３７０を含むことができる。
【０１００】
ここで、前記遊び孔３６０は前記接触部３４０の曲率と反対方向の曲率を有することができる。
【０１０１】
また、前記爪形成部３２８の前記センタリングケース１２０の内面は、前記遊び孔３６０の形状と同一の形状を有することができる。
【０１０２】
図９のように、前記接触部３４０は、前記センタリングケース１２０の外周部１２４の境界から外径方向の外側に一部が突出され、前記ディスクＤの内周面が接触する先端接触部３４５を有することができる。
【０１０３】
前記先端接触部３４５は前記接触部３４０の回転力を強くするため、爪力Ｆｃの分力の一つである接線力Ｔの力を増加させて、全体的に爪力Ｆｃを増加させることができる。
【０１０４】
この際、前記爪ボディー３２０は前記センタリングケース１２０の平板部１２２と異なる平面上に形成されることができる。
【０１０５】
そして、図１０のように、接触部３４０は、前記ディスクＤの装着時に前記ディスクの内周面と接触する外周部３４６、前記ディスクの装着時に最初に前記ディスクの内周面が接する先端部３４２及び前記先端部３４２と外周部３４６を連結する連結部３４４を含むことができる。
【０１０６】
ここで、前記先端部３４２の曲率は前記連結部３４４の曲率より大きく、ディスクＤをスムーズに装着することができる。
【０１０７】
図１１は本発明のディスクチャッキング装置の第３実施例の平面図であり、図１２は図１１のディスクチャッキング装置にディスクが装着された場合、ディスクチャッキング装置がディスクに加える力の方向を図示した平面図であり、図１３は図１１の変形例の平面図である。
【０１０８】
図１１から図１３を参照すると、本実施例の爪４００は、前記センタリングケース１２０の爪形成部４２８から突出されて形成され、前記センタリングケース１２０の内側に平行に形成される境界ライン孔４５０の間に配置される爪ボディー４２０を含むことができる。
【０１０９】
また、前記爪４００は、前記爪ボディー４２０が前記境界ライン孔４５０と平行するように内径方向の内側に切開する分離孔４６５によって形成されるボディー切片４８０、及び前記分離孔４６５から延長され、前記ボディー切片４８０の一部を前記分離孔４６５と異なる方向に切開する遊び孔４６０によって形成される回転ラック４７０を含むことができる。
【０１１０】
前記遊び孔４６０は、前記分離孔４６５から前記境界ライン孔４５０の方向に形成されることができる。また、前記遊び孔４６０は前記接触部４４０の曲率と反対方向の曲率を有することができる。
【０１１１】
この際、前記爪形成部４２８は前記センタリングケースの内側に多角形の形状からなることができる。
【０１１２】
図１２を参照すると、このように爪ボディー４２０が多数のボディー切片４８０で構成される場合（以下では二つのボディー切片で説明する）、夫々のボディー切片４８０が前記遊び孔４６０の内側に回転されて、夫々の爪力Ｆｃ１、Ｆｃ２を発生させる。
【０１１３】
前記夫々の爪力Ｆｃ１、Ｆｃ２は夫々の法線力Ｎ１、Ｎ２及び接線力Ｔ１、Ｔ２の合力で計算されて、夫々の爪力Ｆｃ１、Ｆｃ２の合力が全体の爪力Ｆｃになる。
【０１１４】
爪ボディー４２０が多数のボディー切片４８０からなることによって、爪力をさらに増加させることができる。
【０１１５】
本実施例は図１３のように変形されることができる。即ち、前記接触部４４０は前記センタリングケース１２０の外周面１２４の境界から外径方向の外側に一部が突出されて、前記ディスクＤの内周面が接触する先端接触部４４５を有することができる。
【０１１６】
図１４は本発明のディスクチャッキング装置の第４実施例の平面図であり、図１５は図１４の変形例の平面図である。
【０１１７】
図１４を参照すると、本実施例の爪５００は、前記センタリングケース１２０の爪形成部５２８から突出されて形成され、前記センタリングケース１２０の内側に平行に形成される境界ライン孔５５０の間に配置される爪ボディー５２０を含むことができる。
【０１１８】
また、前記爪５００は、前記爪ボディー５２０が前記境界ライン孔５５０と平行するように内径方向の内側に切開する分離孔５６５によって形成されるボディー切片５８０、及び前記境界ライン孔５５０のうち少なくとも一つから延長され、前記ボディー切片５８０の分離孔５６５の方向に切開する遊び孔５６０によって形成される回転ラック５７０を含むことができる。
【０１１９】
この際、前記爪形成部５２８は前記センタリングケース１２０の内側に多角形の形状をなすことができる。
【０１２０】
前記遊び孔５６０は前記爪形成部５２８の内面に沿って形成されることができる。
【０１２１】
本実施例は図１５のように変形されることができる。即ち、前記接触部５４０は、前記センタリングケース１２０の外周面１２４の境界から外径方向の外側に一部が突出され、前記ディスクＤの内周面が接触する先端接触部５４５を有することができる。
【０１２２】
図１６は本発明のディスクチャッキング装置の第５実施例の平面図であり、図１７は図１６の変形例の平面図である。
【０１２３】
図１６を参照すると、本実施例の爪６００は、前記センタリングケース１２０の爪形成部６２８から突出されて形成され、前記センタリングケース内側に平行に形成される境界ライン孔６５０の間に配置される爪ボディー６２０を含むことができる。
【０１２４】
また、前記爪６００は、前記爪ボディー６２０が前記境界ライン孔６５０と平行するように内径方向の内側に切開する分離孔６６５によって形成されるボディー切片６８０、及び前記境界ライン孔６５０のうち少なくとも一つ及び前記分離孔６６５から延長され、前記分離孔６６５及び他の境界ライン孔６５０の方向に切開する遊び孔６６０によって形成される回転ラック６７０を含むことができる。
【０１２５】
この際、前記爪形成部６２８は前記センタリングケース１２０の内側に多角形の形状をなすことができる。
【０１２６】
本実施例は図１７のように変形されることができる。即ち、前記接触部６４０は前記センタリングケース１２０の外周面１２４の境界から外径方向の外側に一部が突出され、前記ディスクＤの内周面が接触する先端接触部６４５を有することができる。
【０１２７】
図１８は本発明のディスクチャッキング装置の第６実施例の平面図である。
【０１２８】
図１８を参照すると、本実施例の爪７００は、前記センタリングケース１２０の爪形成部７２８から突出され、前記センタリングケース１２０の内側に平行に形成される境界ライン孔７５０の間に配置される爪ボディー７２０を含むことができる。
【０１２９】
また、前記爪７００は、前記爪ボディー７２０が前記境界ライン孔７５０と平行するように内径方向の内側に切開する分離孔７６５によって形成されるボディー切片７８０、及び前記分離孔７６５から前記境界ライン孔７５０の少なくとも一つの方向に延長され、前記爪形成部７２８と前記ボディー切片７８０が分離されるように切開する遊び孔７６０によって形成される回転ラック７７０を含むことができる。
【０１３０】
この際、前記遊び孔７６０は前記接触部７４０の曲率と反対方向の曲率を有することができる。そして、前記爪形成部７２８の前記センタリングケース１２０の内面は、前記遊び孔７６０の形状と同一の形状を有することができる。
【０１３１】
図１９は本発明のディスクチャッキング装置の第７実施例の平面図である。
【０１３２】
図１９を参照すると、本実施例の爪８００は、前記センタリングケース１２０の爪形成部８２８から突出され、前記センタリングケース１２０の内側に平行に形成される境界ライン孔８５０の間に配置される爪ボディー８２０を含むことができる。
【０１３３】
前記爪８００は、前記爪ボディー８２０が前記境界ライン孔８５０と平行するように内径方向の内側に切開する分離孔８６５によって形成されるボディー切片８８０、及び前記境界ライン孔８５０のうち少なくとも一つから延長され、前記ボディー切片８８０の分離孔８６５の方向に切開する遊び孔８６０によって形成される回転ラック８７０を含むことができる。
【０１３４】
この際、前記爪形成部８２８の前記センタリングケース１２０の内面は、前記遊び孔８６０の形状と同一の形状を有することができる。そして、前記遊び孔８６０は前記爪形成部８２８の内面に沿って形成されることができる。
【０１３５】
図２０は本発明のディスクチャッキング装置の第８実施例の平面図である。
【０１３６】
図２０を参照すると、本実施例の爪９００は、前記センタリングケース１２０の爪形成部９２８から突出され、前記センタリングケース１２０の内側に平行に形成される境界ライン孔９５０の間に配置される爪ボディー９２０を含むことができる。
【０１３７】
また、前記爪９００は、前記爪ボディー９２０が前記境界ライン孔９５０と平行するように内径方向の内側に切開する分離孔９６５によって形成されるボディー切片９８０、及び前記分離孔９６５の内径方向の端部に分離孔９６５の幅より大きい直径を有する円形の遊び孔９６０によって形成される回転ラックを含むことができる。
【０１３８】
図２１は本発明のディスクチャッキング装置の第９実施例の平面図であり、図２２は図２１の変形例の平面図である。
【０１３９】
図２１を参照すると、本実施例の爪１０００は、前記接触部１０４０が前記センタリングケース１２０の内側に流入されることができる空間からなる爪形成部１０２０を含むことができる。
【０１４０】
前記接触部１０４０は、前記センタリングケース１２０の外周部１２４の一端部１０７０から前記センタリングケース１２０の外径をなすように延長形成され、前記一端部１０７０と対応する前記センタリングケース１２０の外周部１２４の他端部１０７２と分離することができる。
【０１４１】
この際、前記爪形成部１０２０は、前記センタリングケース１２０の内側に多角形の形状をなすことができる。
【０１４２】
本実施例は図２２のように変形されることができる。即ち、前記接触部１０４０は、前記センタリングケース１２０の外周部１２４の境界から外径方向の外側に一部が突出され、前記ディスクＤの内周面が接触する先端接触部１０４５を有することができる。
【０１４３】
図２３は本発明のディスクチャッキング装置の第１０実施例の平面図である。
【０１４４】
図２３を参照すると、本実施例の爪１１００は、前記接触部１１４０が前記センタリングケース１２０の内側に流入されることができる空間からなる爪形成部１１２０を含むことができる。
【０１４５】
前記接触部１１４０は、前記センタリングケース１２０の外周部１２４の両端部１１７０から前記センタリングケース１２０の外径をなすように延長形成され、前記接触部１１４０の相接する端部は分離されることができる。
【０１４６】
この際、前記爪形成部１１２０は、前記センタリングケース１２０の内側に多角形の形状をなすことができる。
【０１４７】
本実施例は図２４のように変形されることができる。即ち、前記接触部１１４０の相接する端部は、前記センタリングケース１２０の外周部の境界から外径方向の外側に一部が突出され、前記ディスクの内周面が接触する先端接触部１１４５を有することができる。
【０１４８】
ディスク駆動装置
【０１４９】
図２５は本発明の一実施例によるディスク駆動装置の概略断面図である。
【０１５０】
図２５を参照すると、本発明の一実施例によるディスク駆動装置は、上述の技術的特徴の全てを有したモーター１０を搭載するようになる。
【０１５１】
本発明の一実施例による光ディスク駆動装置１は、フレーム２、光ピックアップ機構４及び移動機構６を含むことができる。
【０１５２】
前記フレーム２には前記モーター１０が実装されるベースプレート６０が固定されることができる。
【０１５３】
前記光ピックアップ機構４は前記モーター１０に載置されるディスクＤを光学的に記録または再生することができる。
【０１５４】
前記移動機構６は、前記光ピックアップ機構４をディスクＤの直径方向に移送させて、前記ディスクＤの全体の面に情報を記録したり、情報を再生するようにすることができる。
【０１５５】
本発明によるディスクチャッキング装置、モーター及びこれを搭載するディスク駆動装置によって、爪がディスクの装着方向と反対方向に加える力を減らし、前記爪がディスクの内周面を水平方向に弾性支持するようにして、爪に応力集中される現象を減らすことができる。
【０１５６】
また、前記爪に集中される応力集中が分散されるため、爪の変形や破損を減らすことができる。
【０１５７】
また、爪がディスクの内周面に水平方向に力を加えることができるため、前記ディスクチャッキング装置に装着されるディスクがセンタリングケースから滑ったり落ちる現象を減らすことができる。
【０１５８】
また、前記爪のディスク内周面に加える力が大きくなるため、前記ディスクの中心とセンタリングケースの中心が一致して、ディスクの記録や再生性能の信頼性が向上される効果がある。
【符号の説明】
【０１５９】
１  ディスク駆動装置
１０  モーター
２０  ローター
４０  ステーター
１００  ディスクチャッキング装置
２００  爪
２４０  接触部
【図１】
2011233217.tif 000003
【図２】
2011233217.tif 000004
【図３】
2011233217.tif 000005
【図４】
2011233217.tif 000006
【図５】
2011233217.tif 000007
【図６】
2011233217.tif 000008
【図７】
2011233217.tif 000009
【図８】
2011233217.tif 000010
【図９】
2011233217.tif 000011
【図１０】
2011233217.tif 000012
【図１１】
2011233217.tif 000013
【図１２】
2011233217.tif 000014
【図１３】
2011233217.tif 000015
【図１４】
2011233217.tif 000016
【図１５】
2011233217.tif 000017
【図１６】
2011233217.tif 000018
【図１７】
2011233217.tif 000019
【図１８】
2011233217.tif 000020
【図１９】
2011233217.tif 000021
【図２０】
2011233217.tif 000022
【図２１】
2011233217.tif 000023
【図２２】
2011233217.tif 000024
【図２３】
2011233217.tif 000025
【図２４】
2011233217.tif 000026
【図２５】
2011233217.tif 000027